(57)【要約】【課題】袋体の密閉状態を従来よりも長期にわたって維持可能とし、板体を確実に起立倒伏できる起伏式の可動構造体を提供すること。【解決手段】支持部材２２によって河床１４に対して回動自在に支持された板体２０と、可撓性膜３２を重ね合わせて袋状とした袋体３０と、袋体３０の袋とじ部３４を板体２０の設置面側の面２０Ｄとで挟み込んで保持して袋体３０の内部を密閉する取付部材４０と、を可動堰１０が備えることで、袋体３０の密閉状態を従来よりも長期にわたって維持可能とし、板体２０を確実に起立倒伏できる。【選択図】図１
2008057266.tif 000002
【特許請求の範囲】
【請求項１】
端部が設置面に回動自在に支持された板体と、
可撓性膜を重ね合わせて袋状とした袋体と、
前記袋体の袋とじ部を前記板体の設置面側の面とで挟み込んで保持して前記袋体の内部を密閉する取付部材と、を備え、
前記袋体は、内部に流体を供給することで膨張して前記板体を押し上げて起立させ、内部の流体を排出することで収縮して前記板体を倒伏させることを特徴とする起伏式の可動構造体。
【請求項２】
前記袋体は、六角形状の可撓性膜の一方の頂点から対向する他方の頂点を結ぶ直線に沿って折り曲げて形成された台形状とし、上辺部及び前記上辺部の両側の斜辺部が前記取付部材と前記板体の設置面側の面とで挟み込まれて保持されることを特徴とする請求項１に記載の起伏式の可動構造体。
【請求項３】
前記取付部材は、上辺部を前記板体の設置側の面とで挟み込んで保持する第１の取付部材と、斜辺部を前記板体の設置側の面とで挟み込んで保持する第２の取付部材とを有し、前記第１の取付部材と前記第２の取付部材とのなす角度が９０〜１２０度を満たすことを特徴とする請求項２に記載の起伏式の可動構造体。
【請求項４】
前記袋体は、前記斜辺部と前記底辺部とのなす角度が３５〜５５度を満たすことを特徴とする請求項２又は請求項３に記載の起伏式の可動構造体。
【請求項５】
前記板体の支持側の端部が、前記袋体よりも河川の上流側に配置されることを特徴とする請求項１乃至請求項４の何れか１項に記載の起伏式の可動構造体。
【発明の詳細な説明】
【技術分野】
【０００１】
本発明は、河川、下水道、都市、沿岸域等において、発電、農業用水確保、集中豪雨浸水対策、高潮対策等を目的として設置される起伏式の可動構造体に関するものである。
【背景技術】
【０００２】
従来、起伏式の可動構造体としては、河川を横断するように配置された袋体の内部に流体（例えば、空気、水等）を供給排出して該袋体を起立倒伏させて堰として利用するものや、このような袋体をジャッキとして利用して河床に回動自在に支持された鋼製の扉体を起立倒伏させて堰とするもの等がある（例えば、特許文献１及び２）。
【特許文献１】特許第３７６０３３７号
【特許文献２】特開２００５-１４６７４９号公報
【発明の開示】
【発明が解決しようとする課題】
【０００３】
ところで、後者の可動堰は前者の可動堰に対して流木、転石等から袋体を扉体が保護する効果があるが、袋体が扉体を介して水圧を支えようとするため、ジャッキ動作を行う袋体の内圧が必然的に高くなってしまう。一方、袋体は筒状の幅方向に長い座布団や枕のような形状であり、その端部が封止（例えば、接着して封止又は、金具等で加締めて封止。）されて内部が密閉状態とされている。
しかしながら、長期にわたって扉体を起立させておくと、袋体には高い内圧が作用しつづけるため、端部付近から流体が漏れ出す虞があった。
【０００４】
本発明の目的は、上記事実を考慮して、袋体の密閉状態を従来よりも長期にわたって維持可能とし、板体を確実に起立倒伏する起伏式の可動構造体を提供することを目的とする。
【課題を解決するための手段】
【０００５】
上記目的を達成するために本発明の請求項１に係る起伏式の可動構造体は、端部が設置面に回動自在に支持された板体と、可撓性膜を重ね合わせて袋状とした袋体と、前記袋体の袋とじ部を前記板体の設置面側の面とで挟み込んで保持して前記袋体の内部を密閉する取付部材と、を備え、前記袋体は、内部に流体を供給することで膨張して前記板体を押し上げて起立させ、内部の流体を排出することで収縮して前記板体を倒伏させることを特徴としている。
【０００６】
次に請求項１に記載の起伏式の可動構造体の作用について説明する。
袋体の袋とじ部を板体の設置面側の面と取付部材とが挟み込んで保持するため、袋体の内部が密閉されて袋体の密閉状態が従来よりも長期にわたって維持される。このため、袋体の信頼性が向上し、袋体の内部に流体を供給することで、設置面に支持された板体を確実に押し上げて起立させることができる。従って、袋体の密閉状態が従来よりも長期にわたって維持可能となり、板体を確実に起立倒伏できる。
【０００７】
本発明の請求項２に係る起伏式の可動構造体は、請求項１に記載の起伏式の可動構造体において、前記袋体は、六角形状の可撓性膜の一方の頂点から対向する他方の頂点を結ぶ直線に沿って折り曲げて形成された台形状とし、上辺部及び前記上辺部の両側の斜辺部が前記取付部材と前記板体の設置面側の面とで挟み込まれて保持されることを特徴としている。
【０００８】
次に、請求項２に記載の起伏式の可動構造体の作用について説明する。
袋体は、六角形状の可撓性膜を折り曲げて、重ね合わせて形成されるため構造が簡単となる。なお、ここで言う六角形状とは、一方の頂点から対向する他方の頂点を結ぶ直線が対称軸となる六角形状を指す。
【０００９】
本発明の請求項３に係る起伏式の可動構造体は、請求項２に記載の起伏式の可動構造体において、前記取付部材は、上辺部を前記板体の設置側の面とで挟み込んで保持する第１の取付部材と、斜辺部を前記板体の設置側の面とで挟み込んで保持する第２の取付部材とを有し、前記第１の取付部材と前記第２の取付部材とのなす角度が９０〜１２０度を満たすことを特徴としている。
【００１０】
次に、請求項３に記載の起伏式の可動構造体の作用について説明する。
第１の取付部材と第２の取付部材とのなす角度が９０度未満だと、袋体を膨張させた時の角部の折れ曲がりが大きくなって袋体内が閉塞しやすくなる。また、第１の取付部材と第２の取付部材とのなす角度が１２０度を超えると、袋体を膨張させた時の膨らみ高さが減少して十分な膨らみ高さが得られなくなってしまう。従って、第１の取付部材と第２の取付部材とのなす角度が９０〜１２０度を満たすことが好ましい。
【００１１】
本発明の請求項４に係る起伏式の可動構造体は、請求項２又は請求項３に記載の起伏式の可動構造体において、前記袋体は、前記斜辺部と前記底辺部とのなす角度が３５〜５５度を満たすことを特徴としている。
【００１２】
次に、請求項４に記載の起伏式の可動構造体の作用について説明する。
斜辺部と底辺部とのなす角度が３５度未満だと、板体の倒伏時に袋体の角部のたるみが大きくなりすぎて破損しやすくなり、斜辺部と底辺部とのなす角度が５５度を超えると、袋体を膨張させた時の膨らみ高さが減少して十分な膨らみ高さが得られなくなってしまう。従って、斜辺部と底辺部とがなす角度が３５〜５５度を満たすことが好ましい。
【００１３】
次に、請求項５に記載の起伏式の可動構造体の作用について説明する。
本発明の請求項５に係る起伏式の可動構造体は、請求項１乃至請求項４の何れか１項に記載の起伏式の可動構造体において、前記板体の支持側の端部が、前記袋体よりも河川の上流側に配置されることを特徴としている。
【００１４】
次に、請求項５に記載の起伏式の可動構造体の作用について説明する。
板体の支持側の端部が袋体よりも河川の上流側に配置されるため、河川の上流からの流木、転石等から袋体が板体によって守られて、袋体が損傷する虞が大幅に減少する。
【発明の効果】
【００１５】
本発明の起伏式の可動構造体は、袋体の密閉状態が従来よりも長期にわたって維持可能となり、板体を確実に起立倒伏できる。
【発明を実施するための最良の形態】
【００１６】
［第１の実施形態］
（構成）次に、本発明の起伏式の可撓性構造体の第１の実施形態を図１乃至図４にしたがって説明する。第１の実施形態では、本発明の起伏式の可撓性構造体を河川に用いられて河川の流量を調整する可動堰１０とした。図１は、河川を横断するように配置された可動堰１０が起立して河川の流れを堰き止めている状態を斜視した部分斜視図である。図２は、図１の可動堰１０を河川の流れ方向に沿って切断した断面図である。図３は、可動堰１０の板体を設置面側から見た正面図である。図４は、可動堰１０の袋体を形成する可撓性膜の展開図及びこの可撓性膜を折り曲げた状態の正面図を示すものである。
なお、図中の矢印Ｃは河川の流れ方向を示し、河川の流れ方向とは河川の上流側から下流側へ流れる方向を示している。
【００１７】
図１に示すように、可動堰１０が施工される河川１２の河床１４は、平面状であり、河川１２の両側に位置する法面１６は河床１４に対して一定の角度（本実施形態では河床１４に対して直角）で傾斜している。なお、本実施形態では、河床１４及び法面１６がコンクリート等で形成されている。可動堰１０は一方の法面１６から他方の法面１６へ一直線状に延びて河川１２を横断している。
【００１８】
この可動堰１０は、板体２０と袋体３０と取付部材４０とを備えている。図１に示すように、板体２０は一方の法面１６から他方の法面１６へ一直線状に延びる長さを有しており、一端部が支持部材２２を介して河床１４に回動自在に支持されている。この支持部材２２は、支持部材２２を河床１４に対して回動自在に支持することが目的のため、目的を満たすことができればどのような構造であっても良く、河床１４及び板体２０との取付構造もどのような構造であっても良いものとする。なお、本実施形態では、支持部材２２は蝶番と同様の構造からなる構造体とし、この支持部材２２の一片２２Ａは河床１４に河川の流れ方向と直交する方向に連続して設けられたアンカーボルトに貫通され、ナット（座金を含む）によって締結されて河床１４に確実に固定され、他片２２Ｂは板体２０の反設置面側の面２０Ｕの一端部側に河川の流れ方向と直交する方向に連続して設けられた図示しない第１雌ねじと、他片２２Ｂを貫通する第１取付ボルト（座金を含む）とによって締結されて板体２０に確実に固定されている。
【００１９】
また、本実施形態の板体２０は、図２に示されるように後述する袋体３０が膨張したときに支持部材２２を回転軸として回動し、起立状態となる。このとき、板体２０は河川の上流側から受ける水圧と、この水圧を支持する袋体から受ける反力とに長期間耐えられる剛性が必要とされるため、本実施形態では、板体２０を鉄製としている。なお、この構成に限定される必要は無く、板体２０の剛性を向上させるために、板体２０の厚みを増加させても良く、板体２０を内部に強度の高い補強材が配設された構造体としても良く、板体２０の面２０Ｕ又は設置面側の面２０Ｄに河川の流れ方向に沿うリブ等を設けても良いものとする。また、本実施形態では板体２０を矩形状としている。
【００２０】
袋体３０は、図４に示されるようにシート状で且つ六角形状の可撓性膜３２（例えば、ゴムシート等）を一方の頂点から対向する他方の頂点を結ぶ直線に沿って折り曲げて形成されたものであり、折り曲げ後の形状は台形状となる。なお、この可撓性膜３２の六角形状の状態を図４では二点鎖線で示し、折り曲げて台形状とした状態を実線で示している。また、ここで言う六角形状とは、一方の頂点から対向する他方の頂点を結ぶ直線が対称軸となる六角形状を指す。さらにまた、袋体３０の斜辺部３０Ｂと底辺部３０Ｃとのなす角αが３５〜５５度を満たすことが好ましい。
【００２１】
また、袋体３０の袋とじ部３４は、板体２０の面２０Ｄに設けられた図示しない第２雌ねじと、取付部材４０及び袋とじ部３４を貫通する第２取付ボルトとによって締結されることで、取付部材４０と面２０Ｄとによって挟み込まれて保持されている。なお、この挟み込みは、袋体３０の内部から流体が漏れ出さない程度に強く挟み込まれている。また、ここで言う袋とじ部３４とは、可撓性膜３２を折り曲げて重ね合わせた際に接合する端部分を指し、本実施形態では、上辺部３０Ａ、斜辺部３０Ｂ及び底辺部３０Ｃを指すものとする。さらに、本実施形態では、袋体３０の上辺部３０Ａが板体２０の支持部材側に設けられている。
【００２２】
また、取付部材４０は、上辺部３０Ａを面２０Ｄとで挟み込んで保持する板状の第１取付部材４０Ａと、斜辺部３０Ｂを面２０Ｄとで挟み込んで保持する板状の第２取付部材４０Ｂとを有している。さらにまた、第１取付部材４０Ａと第２取付部材４０Ｂとのなす角βが９０〜１２０度を満たすことが好ましい。なお、本実施形態では、第１取付部材４０Ａ、第２取付部材４０Ｂ及び板体２０の形状を板状とする構成としたが、この構成に限定される必要は無く、第１取付部材４０Ａ、第２取付部材４０Ｂ及び板体２０の少なくとも一つの袋とじ部３４を挟み込む側の面に、袋体３０内の密閉性をさらに高められるように突条部を設ける構成としても良いものとする。
【００２３】
前述したような構成の可動堰１０は、袋体３０の内部に流体（例えば、空気、水）を供給することで袋体３０が膨張し、この膨張に伴って板体２０が支持部材２２を回転軸として起立し、河川の流量を調整することができる。また、袋体３０の内部の流体を排出することで袋体３０が収縮し、この収縮に伴って板体２０が支持部材２２を回転軸として倒伏し、河川の流れが開放される。
【００２４】
（作用）次に第１の実施形態の可動堰１０の作用を説明する。
袋体３０の袋とじ部３４を板体２０の設置面側の面２０Ｄと取付部材４０とが挟み込んで保持するため袋体３０の内部が密閉状態となる。この挟み込みは袋体３０の内部の流体が漏れ出さない程度に強く挟み込むため、袋体３０の密閉状態が従来よりも長期にわたって維持され、この袋体３０の内部に流体を供給することで、板体２０を確実に起立させることができる。従って、袋体３０の密閉状態が従来よりも長期にわたって維持可能となり、板体２０を確実に起立倒伏できる。
【００２５】
また、袋体３０は、六角形状の可撓性膜３２を折り曲げて、重ね合わせて形成されるため袋体３０の構造が簡単となる。
さらに、斜辺部３０Ｂと底辺部３０Ｃとのなす角αが３５度未満だと、板体２０の倒伏時に袋体３０の角部のたるみが大きくなって破損しやすく、αが５５度を超えると、袋体３０を膨張させた時の膨らみ高さが減少して十分な膨らみ高さが得られなくなってしまう。従って、斜辺部３０Ｂと底辺部３０Ｃとのなす角αが３５〜５５度を満たすことが好ましい。なお、ここで言う膨らみ高さとは、袋体３０の河川の流れ方向と直交する方向の中央部分での高さを指す。
【００２６】
さらにまた、第１取付部材４０Ａと第２取付部材４０Ｂとのなす角βが９０度未満だと、袋体３０を膨張させた時の角部の折れ曲がりが大きくなって袋体３０内が閉塞しやすくなる。βが９０度を越えると、βが９０度のときよりも袋体３０の膨らみ高さが減少するが、膨らみ時の折れ曲がり位置への歪の集中が減少する。βが１２０度を超えると、袋体３０を膨張させた時の膨らみ高さが減少し過ぎて十分な膨らみ高さが得られなくなってしまう。従って、第１取付部材４０Ａと第２取付部材４０Ｂとのなす角βが９０〜１２０度を満たすことが好ましい。
【００２７】
そして、板体２０の支持部材側の端部が袋体３０よりも河川の上流側に配置されるため、河川の上流からの流木、転石等から袋体３０が板体２０によって守られる。このため、袋体３０が損傷する虞が大幅に減少し、可動堰１０の信頼性が向上する。
【００２８】
［その他の実施形態］
第１の実施形態では、本発明の起伏式の可動構造体を河川に用いられる可動堰１０とする構成としたが、この構成に限定される必要は無く、簡単に重量物を支持、起伏、移動させたり、通路等の隙間を止水、遮水、遮音させたりすることを目的とする構造体として用いる構成であっても良いものとする。
また、第１の実施形態では、可撓性膜３２を六角形状としたが、その他の形状であっても良いものとする。
さらに、第１の実施形態では可撓性膜３２を折り曲げて重ね合わせて袋体３０を形成しているが、２枚の可撓性膜を重ね合わせて一辺の接合部を加硫接着して袋体３０を形成しても良いものとする。
【図面の簡単な説明】
【００２９】
【図１】第１の実施形態の可動堰が起立して河川の流れを堰き止めている状態を斜視した部分断面斜視図である。
【図２】図１の可動堰を河川の流れ方向に沿って切断した断面図である。
【図３】第１の実施形態の可動堰の板体を設置面側から見た正面図である。
【図４】第１の実施形態の可動堰の袋体を形成する可撓性膜の展開図及びこの可撓性膜を折り曲げた状態の正面図である。
【符号の説明】
【００３０】
１０    可動堰（起伏式の可動構造体）
１４    河床（底面）
１６    法面
２０    板体
２０Ｄ  面（設置側の面）
３０    袋体
３０Ａ  上辺部
３０Ｂ  斜辺部
３２    可撓性膜
３４    袋とじ部
４０    取付部材
４０Ａ  第１取付部材（第１の取付部材）
４０Ｂ  第２取付部材（第２の取付部材）
【図１】
2008057266.tif 000003
【図２】
2008057266.tif 000004
【図３】
2008057266.tif 000005
【図４】
2008057266.tif 000006